Podtech/llm-jp-corpus-v4-ja_patent huggingface dataset:
【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
遊技媒体が打ち込まれる遊技領域が形成された遊技盤と、前記遊技領域内に配置される始動口と、前記遊技領域内に配置され、且つ開閉扉を閉鎖位置から開放位置に移動する電気的駆動源が搭載された大入賞口装置と、前記始動口への遊技媒体の入球に基づいて抽選制御手段により所定の抽選を行うマイクロプロセッサが実装された制御装置と、を備える遊技機であって、
前記大入賞口装置は、少なくとも、
第一の波長の光を発する第一の発光部材、及び前記第一の波長より長い波長の光を発する第二の発光部材が実装された発光基板と、
前記第一の波長の光のみを通し、且つ当該第一の波長の色で模様が描かれた第一の模様シート、及び前記第二の波長の光のみを通し、且つ当該第二の波長の色で模様が描かれた第二の模様シートをそれぞれ透明樹脂板で挟み込んだ状態で構成された表示パネルと、
複数のスリット穴が設けられているスリットシートを備えたスリット装置と、
を備え、
前記マイクロプロセッサは、さらに、
前記電気的駆動源を駆動する駆動制御手段と、
前記抽選制御手段による抽選結果に基づいて、前記発光基板に実装された前記第一の発光部材を発光させる第一の特典、又は前記発光基板に実装された前記第二の発光部材を発光させる第二の特典に設定する特典設定制御手段と、
を備え、
前記特典設定制御手段により前記第一の特典が設定されたときには、前記駆動制御手段により前記電気的駆動源が駆動されて前記開閉扉を閉鎖位置から開放位置に移動する際に、連動して前記スリット装置が移動し、前記発光基板に実装された前記第一の発光部材が発する光が前記表示パネルの前記第一の模様シート、続いて前記スリット装置の前記スリットシートに設けられている複数のスリット穴を通って、当該第一の模様シートに描かれた模様が動画となって見える一方、前記特典設定制御手段により前記第二の特典が設定されたときには、前記駆動制御手段により前記電気的駆動源が駆動されて前記開閉扉を閉鎖位置から開放位置に移動する際に、連動して前記スリット装置が移動し、前記発光基板に実装された前記第二の発光部材が発する光が前記表示パネルの前記第二の模様シート、続いて前記スリット装置の前記スリットシートに設けられている複数のスリット穴を通って、当該第二の模様シートに描かれている模様が動画となって見えることを特徴とする遊技機。
【請求項２】
前記スリットシートに設けられている複数のスリット穴は、当該スリットシートの上辺から下辺に向かってスリット穴が等間隔にそれぞれ設けられているとともに、該間隔がスリット穴の高さの所定数倍に設定され、
前記第１の模様シートに描かれている模様、及び前記第２の模様シートに描かれている模様は、前記スリットシートに複数のスリット穴が設けられている領域と対応する、当該第１の模様シートの領域、及び当該第２の模様シートの領域がそれぞれ切り抜かれた状態の模様として描かれていることを特徴とする請求項１に記載の遊技機。
【手続補正２】
【補正対象書類名】明細書
【補正対象項目名】００１５
【補正方法】変更
【補正の内容】
【００１５】
（解決手段２）
解決手段１に記載の遊技機であって、前記スリットシートに設けられている複数のスリット穴は、当該スリットシートの上辺から下辺に向かってスリット穴が等間隔にそれぞれ設けられているとともに、該間隔がスリット穴の高さの所定数倍に設定され、前記第１の模様シートに描かれている模様、及び前記第２の模様シートに描かれている模様は、前記スリットシートに複数のスリット穴が設けられている領域と対応する、当該第１の模様シートの領域、及び当該第２の模様シートの領域がそれぞれ切り抜かれた状態の模様として描かれていることを特徴とする。こうすれば、第１の模様シートに描かれる模様、及び第２の模様シートに描かれる模様が、スリット状となる。
（解決手段３）
前記遊技機は、パチンコ遊技機である解決手段１又は２に記載の遊技機。
【手続補正３】
【補正対象書類名】明細書
【補正対象項目名】００１７
【補正方法】変更
【補正の内容】
【００１７】
本発明の請求項１においては、遊技者の自由な発想を促し、遊技者自らが興趣を見出すことができる。請求項２においては、第１の模様シートに描かれる模様、及び第２の模様シートに描かれる模様が、スリット状となる。
【手続補正４】
【補正対象書類名】明細書
【補正対象項目名】０２３４
【補正方法】削除
【補正の内容】
【手続補正５】
【補正対象書類名】明細書
【補正対象項目名】０２３５
【補正方法】削除
【補正の内容】
【手続補正６】
【補正対象書類名】明細書
【補正対象項目名】０２３６
【補正方法】削除
【補正の内容】
【手続補正７】
【補正対象書類名】明細書
【補正対象項目名】０２３７
【補正方法】削除
【補正の内容】
【手続補正８】
【補正対象書類名】明細書
【補正対象項目名】０２３８
【補正方法】削除
【補正の内容】
【手続補正９】
【補正対象書類名】明細書
【補正対象項目名】０２３９
【補正方法】削除
【補正の内容】
【手続補正１０】
【補正対象書類名】明細書
【補正対象項目名】０２４０
【補正方法】削除
【補正の内容】
【手続補正１１】
【補正対象書類名】明細書
【補正対象項目名】０２４１
【補正方法】削除
【補正の内容】
【手続補正書】
【提出日】平成21年1月27日(2009.1.27)
【手続補正１】
【補正対象書類名】特許請求の範囲
【補正対象項目名】全文
【補正方法】変更
【補正の内容】
【特許請求の範囲】
【請求項１】
直流電力と交流電力との間で電力変換を行う電力変換装置、あるいは直流電力を所望の直流電力に変換するＤＣ−ＤＣコンバータ装置、に使用するパワーモジュールであって、
前記パワーモジュールは、
内部に収納室を有するパワーモジュールケースと、
前記パワーモジュールケースの底部に設けられた電気伝導性を有する放熱板と、
前記パワーモジュールケースの内部に設けられた直流電力を供給するための正極直流端子および負極直流端子と、
前記正極直流端子および負極直流端子との間に接続され、第１の半導体スイッチと第２の半導体スイッチとの直列回路を有し、前記パワーモジュールケースの内部に設けられたブリッジ回路と、を備えており、
前記パワーモジュールケースが有する収納室は四角形状を成しており、前記四角形状の一つの辺の側を一方、前記四角形状の前記一つの辺に対抗する側を他方、前記一方と他方とを結ぶ線を横切る方向の一つの側を左側、その反対側を右側として定義した場合、
前記第１と第２の半導体スイッチは左右方向にずれて配置され、前記第１の半導体スイッチは第１列に配置され、前記第２の半導体スイッチは第２列に配置され、
さらに前記第１と第２の半導体スイッチは前記一方および他方側にそれぞれずれて配置され、
前記正極直流端子および負極直流端子は前記収納室の一方側であって、さらに前記収納室の左右方向において第１列の側にずれて配置されていることを特徴とするパワーモジュール。
【請求項２】
請求項１に記載のパワーモジュールにおいて、
前記正極直流端子から供給された電流は前記第１列の半導体スイッチに導かれるように電気的に接続され、前記第１列と前記第２列とが電気的に接続され、さらに前記第２列の半導体スイッチを介して前記負極直流端子に導かれるように前記第２列の半導体スイッチと前記負極直流端子とが電気的に接続されていることを特徴とするパワーモジュール。
【請求項３】
請求項１あるいは請求項２に記載のパワーモジュールにおいて、
前記パワーモジュールは出力端子を有しており、
前記出力端子は前記他方側であって、さらに左右方向において第２列の側にずれて配置されており、前記出力端子は第１の半導体スイッチと第２の半導体スイッチとの接続位置と電気的に接続されていることを特徴とするパワーモジュール。
【請求項４】
請求項１乃至請求項３の内の一に記載のパワーモジュールにおいて、
前記正極直流端子から供給され、前記第１列の半導体スイッチに導かれ、次に前記第１列から前記第２列に導かれ、さらに前記第２列の半導体スイッチを介して前記負極直流端子に導かれる電流に基づき、前記放熱板に渦電流が誘起され、この渦電流により前記正極直流端子から供給され前記負極直流端子に戻る前記ブリッジ回路のインダクタンスが低減されることを特徴とするパワーモジュール。
【請求項５】
直流電力と交流電力との間で電力変換を行う電力変換装置、あるいは直流電力を所望の直流電力に変換するＤＣ−ＤＣコンバータ装置、に使用するパワーモジュールであって、
前記パワーモジュールは、
内部に収納室を有するパワーモジュールケースと、
前記パワーモジュールケースの底部に設けられた電気伝導性を有する放熱板と、
前記パワーモジュールケースの内部に設けられた直流電力を供給するための正極直流端子および負極直流端子と、
前記正極直流端子および負極直流端子との間に接続され、直列に接続された第１の半導体スイッチと第２の半導体スイッチとを有する直列回路と、
前記第１の半導体スイッチと第２の半導体スイッチとの接続部に電気的に接続されている前記出力端子と、を備えており、
前記パワーモジュールケースの収納室は四角形状を成しており、前記四角形状の一つの辺の側を一方、前記四角形状の前記一つの辺に対抗する側を他方、前記一方と他方とを結ぶ軸線を横切る方向の一つの側を左側、その反対側を右側として定義した場合、
前記第１の半導体スイッチを列と前記第２の半導体スイッチを有する列とが前記収納室の左方向から右方向に交互に配置されており、
さらに前記第１と第２の半導体スイッチは、前記収納室の一方および他方側にそれぞれずれて配置され、
前記正極直流端子および負極直流端子は前記収納室の一方側であって、さらに収納室の左右方向において第１列の側にずれて配置されており、
前記出力端子は前記収納室の他方側であって、さらに収納室の左右方向において第２列の側にずれて配置されていることを特徴とするパワーモジュール。
【請求項６】
直流電力と交流電力との間で電力変換を行う電力変換装置、あるいは直流電力を所望の直流電力に変換するＤＣ−ＤＣコンバータ装置、に使用するパワーモジュールであって、
前記パワーモジュールは、他端がそれぞれバッテリに接続され複数のコンデンサと並列接続された第１の導体と第２の導体とを有する積層導体を介して直流電力を受け、
前記パワーモジュールは、
電気伝導性を有する放熱板と、
前記放熱板に絶縁基板を介して固定され、第１の半導体スイッチと第２の半導体スイッチとを有する直列回路と、
前記直流電力を前記直列回路に供給するための正極直流端子および負極直流端子と、
前記第１の半導体スイッチと第２の半導体スイッチとの接続部に電気的に接続されている前記出力端子と、を備えており、
前記正極直流端子と、前記第１の半導体スイッチと第２の半導体スイッチとを有する直列回路と、前記負極直流端子とは環状の回路を構成し、前記環状の回路に電流が流れることにより前記放熱板に電流を誘起し、前記誘起された電流により前記環状の回路のインダクタンスが低減され、
さらに前記放熱板の前記第１の半導体スイッチと第２の半導体スイッチと反対の側に冷却フィンが配置されていることを特徴とするパワーモジュール。
【手続補正書】
【提出日】平成21年10月19日(2009.10.19)
【手続補正１】
【補正対象書類名】特許請求の範囲
【補正対象項目名】全文
【補正方法】変更
【補正の内容】
【特許請求の範囲】
【請求項１】
以下の(a)、(b)又は(c)のDNAを含む、環境ストレス応答性プロモーター。
(a) 配列番号４又は１の塩基配列からなるDNA
(b) 配列番号４又は１の塩基配列において１若しくは複数の塩基が欠失、置換若しくは付加された塩基配列からなり、かつ環境ストレス応答性プロモーターとして機能するDNA
(c) 配列番号４又は１の塩基配列からなるDNAとストリンジェントな条件下でハイブリダイズし、かつ環境ストレス応答性プロモーターとして機能するDNA
【請求項２】
環境ストレスが低温ストレス、乾燥ストレス及び塩ストレスからなる群から選択される少なくとも１つである請求項１記載のプロモーター。
【請求項３】
茎葉組織及び/又は根組織において機能することを特徴とする請求項１記載のプロモーター。
【請求項４】
請求項１記載のプロモーターを含む発現ベクター。
【請求項５】
請求項４記載の発現ベクターに、さらに任意の遺伝子が組み込まれた発現ベクター。
【請求項６】
請求項４又は５記載の発現ベクターを含む形質転換体。
【請求項７】
請求項４又は５記載の発現ベクターを含むトランスジェニック植物。
【請求項８】
植物が、植物体、植物器官、植物組織又は植物培養細胞である請求項７記載のトランスジェニック植物。
【請求項９】
請求項７又は８記載のトランスジェニック植物を培養又は栽培することを特徴とするストレス耐性植物の製造方法。
【請求項１０】
以下の(a)、(b)又は(c)のDNAを含む環境ストレス応答性プロモーターの下流に任意の遺伝子を有する植物を準備する工程と、
(a) 配列番号２、４及び１から選ばれるいずれかの塩基配列からなるDNA
(b) 配列番号２、４及び１から選ばれるいずれかの塩基配列において１若しくは複数の塩基が欠失、置換若しくは付加された塩基配列からなり、かつ環境ストレス応答性プロモーターとして機能するDNA
(c) 配列番号２、４及び１から選ばれるいずれかの塩基配列からなるDNAとストリンジェントな条件下でハイブリダイズし、かつ環境ストレス応答性プロモーターとして機能するDNA
上記植物を環境ストレス条件下で栽培する工程とを含み、
上記環境ストレス応答性プロモーターの下流に位置する遺伝子を組織特異的に発現誘導することを特徴とする組織特異的遺伝子発現方法。
【請求項１１】
環境ストレスが低温ストレス、乾燥ストレス及び塩ストレスからなる群から選択される少なくとも１つである請求項１０記載の組織特異的遺伝子発現方法。
【請求項１２】
上記遺伝子を茎葉組織及び/又は根組織において特異的に発現誘導する請求項１０記載の組織特異的遺伝子発現方法。
【請求項１３】
上記環境ストレス応答性プロモーターの下流に上記遺伝子を配置した発現カセットを上記植物に導入する工程を更に含む請求項１０記載の組織特異的遺伝子発現方法。
【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
可変電圧、可変周波数を出力し、同期モータを可変速制御するインバータ装置であって、同期モータに電力を供給するインバータ部と、ＰＷＭ制御方式によって前記インバータ部を他制運転制御する制御装置とを備え、
前記制御装置は、前記インバータ部を流れる電流を検出する電流検出手段と、検出された前記電流からモータ電流とモータ電圧との位相差を検出する位相差検出手段と、前記位相差と目標とする目標位相差との差に応じてデューティ基準値を調整する調整手段と、前記位相差の変化から前記同期モータの加速を制御する加速手段と、前記同期モータの回転数指令値を設定する回転数設定手段と、前記回転数指令値に対応する出力波形データと調整された前記デューティ基準値とに基づいてＰＷＭ信号を算出するＰＷＭ信号作成手段とを有し、
前記回転数設定手段は、前記加速手段の指令に応じて前記回転数指令値を変更することを特徴とするインバータ装置。
【請求項２】
加速手段は、位相差が減少している場合は同期モータの加速を許可し、位相差が増加している場合は前記同期モータの加速を禁止することを特徴とする請求項１に記載のインバータ装置。
【請求項３】
請求項１または２に記載のインバータ装置を備えたことを特徴とする圧縮機駆動装置。
【請求項４】
請求項３に記載の圧縮機駆動装置を備えたことを特徴とする冷凍装置。
【請求項５】
請求項３に記載の圧縮機駆動装置を備えたことを特徴とする空調装置。
【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
第１電源と第２電源との間に配置され、複数のスイッチング素子とリアクトルとを含み双方向に電圧変換を行うコンバータを複数並列に接続された構成を含み、コンバータ通過電力に応じて駆動させるコンバータ相数を変更するコンバータ制御装置であって、
電圧変換を行うために複数のスイッチング素子に与えられるデューティ指令値に対し、実際に作動しているデューティ実測値をフィードバックしてその偏差を抑制する制御部と、
フィードバック制御におけるゲインと駆動相数との関係を予め求めて記憶する記憶手段と、
コンバータ通過電力に応じて駆動相数を変更する際に、フィードバック制御におけるゲインを変更先の駆動相数に対応するゲインに切り換えるゲイン切換手段と、
を備え、
ゲイン切換手段は、
駆動相数を判定する手段を有し、
駆動相数の判定により、駆動相数が変更されたことを確認した後に、ゲインを切り換えることを特徴とするコンバータ制御装置。
【請求項２】
請求項１に記載のコンバータ制御装置において、
記憶手段は、
フィードバック制御におけるゲインを、フィードバック制御における応答性及び制御性に基づいて各駆動相数ごとに求められた値をそれぞれ記憶することを特徴とするコンバータ制御装置。
【手続補正書】
【提出日】平成21年10月19日(2009.10.19)
【手続補正１】
【補正対象書類名】特許請求の範囲
【補正対象項目名】全文
【補正方法】変更
【補正の内容】
【特許請求の範囲】
【請求項１】
複数の絵柄を可変表示する絵柄表示装置と、
遊技開始に必要な所定数の遊技媒体のベットが完了したか否かを判定するベット判定手段と、
絵柄の可変表示を開始させるべく操作される始動操作手段と、
前記絵柄の可変表示を停止させるべく操作される停止操作手段と、
前記ベット判定手段により前記ベットが完了したと判定された場合、前記始動操作手段の操作に基づいて前記絵柄の可変表示を開始させ、前記停止操作手段の操作に基づいて前記絵柄の可変表示を停止させるように、前記絵柄表示装置を制御する制御手段と、
前記絵柄の可変表示が停止した場合の停止絵柄に応じて遊技者に遊技媒体を付与する媒体付与手段と、
前記停止絵柄が移行契機絵柄である場合に遊技状態を通常遊技状態よりも遊技者に有利な特別遊技状態に移行させるとともに、当該特別遊技状態の開始からの前記媒体付与手段により付与された遊技媒体数が予め定められた規定数に達した場合に特別遊技状態を終了させる特別遊技状態移行手段とを備え、
前記特別遊技状態として前記規定数が同一の第１特別遊技状態と第２特別遊技状態とが予め設定されており、
さらに、前記ベット判定手段により前記ベットが完了したと判定されるためのベット数を複数段階のいずれかに設定するとともに、前記第１特別遊技状態及び前記第２特別遊技状態のそれぞれにおける前記ベット数の設定をそれぞれ異ならせるベット数設定手段を備えたことを特徴とする遊技機。
【請求項２】
前記ベット数設定手段は、前記ベット判定手段により前記ベットが完了したと判定されるためのベット数を設定するとともに、その設定したベット数を超える遊技媒体がベットされないようにすることを特徴とする請求項１に記載の遊技機。
【請求項３】
前記ベット数設定手段は、前記通常遊技状態において一の遊技回でベット可能な遊技媒体数の上限を特定の複数に設定する構成とし、さらに前記第１特別遊技状態及び前記第２特別遊技状態のそれぞれにおける前記ベット数の設定を、前記特定の複数の範囲内におけるベット数において、それぞれ異なるベット数の設定とする構成としたことを特徴とする請求項１又は２に記載の遊技機。
【請求項４】
前記始動操作手段の操作に基づいて役の抽選処理を実行する抽選処理実行手段を備え、
前記媒体付与手段は、前記抽選処理の結果が付与役の当選であって、前記絵柄の可変表示領域における予め定められた有効位置にその当選となった付与役に対応する付与役対応絵柄が停止した場合に遊技媒体を付与する構成とし、
前記第１特別遊技状態及び前記第２特別遊技状態における前記付与役の当選確率が同一又は略同一となるよう前記抽選処理にて参照される抽選情報を設定したことを特徴とする請求項１乃至３のいずれか１に記載の遊技機。
【請求項５】
前記抽選処理実行手段は、前記第１特別遊技状態における前記抽選処理にて参照する抽選情報を、前記第２特別遊技状態における前記抽選処理にて参照することを特徴とする請求項４に記載の遊技機。
【請求項６】
前記絵柄の可変表示領域に複数の有効位置を設定可能な有効位置設定手段を備え、
前記媒体付与手段は、抽選処理の結果が付与役の当選であって、前記有効位置設定手段が設定した有効位置にその当選となった付与役に対応する付与役対応絵柄が停止した場合に遊技媒体を付与する構成とし、
前記有効位置設定手段は、前記第１特別遊技状態及び前記第２特別遊技状態のそれぞれにおいて同一の有効位置を設定することを特徴とする請求項１乃至５のいずれか１に記載の遊技機。
【請求項７】
前記有効位置設定手段は、前記第１特別遊技状態及び前記第２特別遊技状態のそれぞれにおいて、前記複数の有効位置のうち、設定可能な最大数の有効位置を設定することを特徴とする請求項６に記載の遊技機。
【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
フラッシュメモリを内蔵するマイクロコンピュータを備え、
上記フラッシュメモリは、
制御プログラムが書き込まれた制御プログラム領域と、
バックアップデータが書き込まれるバックアップデータ領域と
を有することを特徴とするランドリー機器。
【請求項２】
請求項１に記載のランドリー機器において、
上記制御プログラム領域と上記バックアップデータ領域とは互いに別々のブロックからなることを特徴とするランドリー機器。
【請求項３】
請求項１に記載のランドリー機器において、
上記バックアップデータ領域は、それぞれが複数のデータで構成された複数のレコードを有し、
上記マイクロコンピュータは、上記レコードに上記バックアップデータを書き込むと共に、上記バックアップデータを書き込む上記レコードを変更することを特徴とするランドリー機器。
【請求項４】
請求項２に記載のランドリー機器において、
上記マイクロコンピュータは、
上記バックアップデータ領域の全部が使用されたか否かを判定する処理と、
上記バックアップデータ領域の全部が使用されていると判定した場合、上記バックアップデータ領域をイレーズする処理と
を行うことを特徴とするランドリー機器。
【請求項５】
請求項２に記載のランドリー機器において、
上記バックアップデータ領域は少なくとも２つのブロックからなっていて、
上記マイクロコンピュータは、
上記バックアップデータ領域の全部が使用されたか否かを判定する処理と、
上記バックアップデータ領域の全部が使用されていると判定した場合、最新の上記バックアップデータが格納されているブロック以外のブロックをイレーズする処理と
を行うことを特徴とするランドリー機器。
【請求項６】
請求項２に記載のランドリー機器において、
上記マイクロコンピュータは、
電源のオンに伴い、上記バックアップデータ領域をイレーズする処理と、
上記電源のオフに伴い、上記バックアップデータ領域に上記バックアップデータを書き込む処理とを行うことを特徴とするランドリー機器。
【手続補正書】
【提出日】平成20年12月24日(2008.12.24)
【手続補正１】
【補正対象書類名】特許請求の範囲
【補正対象項目名】全文
【補正方法】変更
【補正の内容】
【特許請求の範囲】
【請求項１】
底面に開口部を有する下ケースに上ケースを被着して形成された吸口本体と、前記吸口本体に、噛合い部Ｂを端部に備え回転可能に配置された回転ブラシと、前記回転ブラシの噛合い部Ｂと対向し回転方向に結合して回転を伝えるもう一つの噛合い部Ａを備えた電気掃除機の吸口において、前記回転ブラシを二つの噛合い部Ａ，Ｂの結合するスラスト方向へ付勢する弾性体による付勢手段を設けたことを特徴とする電気掃除機の吸口。
【請求項２】
前記弾性体に板バネを用いたことを特徴とする請求項１記載の電気掃除機の吸口。
【請求項３】
前記弾性体に軟質材を用いたことを特徴とする請求項１記載の電気掃除機の吸口。
【請求項４】
前記弾性体に前記上ケース、前記下ケース又は、前記回転ブラシを保持する軸受カバーより伸ばしたリブを用いたことを特徴とする請求項１記載の電気掃除機の吸口。
【請求項５】
請求項１から４の何れかに記載の電気掃除機の吸口と、
前記吸口に接続可能な延長管と、
前記延長管に接続可能な手元操作管と、
前記手元操作管に接続可能なホースと、
前記ホースに継ぎ手を介して接続可能で、集塵室および電動送風機を収容する掃除機本体とを備えたことを特徴とする電気掃除機。
【手続補正書】
【提出日】平成21年10月7日(2009.10.7)
【手続補正１】
【補正対象書類名】特許請求の範囲
【補正対象項目名】全文
【補正方法】変更
【補正の内容】
【特許請求の範囲】
【請求項１】
ディスク(D)を送り出す送り出し装置(102)と、
前記送り出されたディスクを一列に並べて誘導するガイド通路(104、136、146)と、
前記ガイド通路の一側に開口された出口開口(106)と、
前記出口開口の反対側に配置され、前記ディスクを前記ガイド通路から押し出す押し出し装置(108)と、
前記押し出されたディスクの中心から偏倚した位置に衝突し、かつ、前記出口開口に近づくよう弾性的に支持されているスピン付与体(110)と、
を備えたディスクのスピン付与送出装置。
【手続補正２】
【補正対象書類名】明細書
【補正対象項目名】０００６
【補正方法】変更
【補正の内容】
【０００６】
第２の従来技術に第１の従来技術を組み合わせることが出来る。
すなわち、押出装置によって押し出されたディスクの偏倚位置にスピン付与体を衝突するよう配置することができる。
しかしこの場合、コインのスピンが安定せず、良くスピンされる場合や全くスピンしないことがあること、及び、押出方向が安定しないことが判明し俄に採用することができない。
本発明者はこれらの問題を解決するため鋭意研究の結果、これらのスピン及び押出方向のバラツキを解消したものである。
すなわち、ディスクは回転ディスクの回転により間欠的に送り出され、出口開口に相対している場合、押出装置によって押出力を受けている。
これにより、出口開口に面しているディスクは出口開口端縁とディスクとの間の静止力に対し押出力が勝った場合、出口開口へ押し出される。
結果として、ディスクが押し出される際の位置及び姿勢が一定しないため、ディスクがスピン付与体に衝突する姿勢及び位置がばらつき、スピンの状況及び押出方向が一定しない原因であることを突き止め、前記問題を解決したものである。
【手続補正３】
【補正対象書類名】明細書
【補正対象項目名】０００８
【補正方法】変更
【補正の内容】
【０００８】
この目的を達成するため、本発明は以下のように構成されている。
ディスクを一つずつ送り出す送り出し装置と、前記送り出されディスクを一列に並べて誘導するガイド通路と、前記ガイド通路の一側に開口された出口開口と、前記出口開口の反対側に配置され、前記ディスクを前記ガイド通路から押し出す押し出し装置と、前記押し出されたディスクの中心から偏倚した位置に衝突し、かつ、前記出口開口に近づくよう弾性的に支持されているスピン付与体と、を備えたディスクのスピン付与送出装置である。
本発明は、ディスクを水平若しくは所定の上向き傾斜でガイド通路に送り出す送り出し装置と、前記ディスクを一列に並べて前記ディスクが垂立すると共に水平方向に移動するよう誘導するガイド通路と、前記水平方向に垂立状態で移動するガイド通路の一側に開口された出口開口と、前記出口開口の反対側に配置され、前記ディスクを前記ガイド通路から前記出口開口へ押し出す押し出し装置と、前記押し出されたディスクの中心から偏倚した位置において垂立し、前記押し出されたディスクの中心から偏倚した位置に衝突し、かつ、前記出口開口に近づくよう弾性的に支持されているスピン付与体と、を備えたディスクのスピン付与送出装置であることが第1実施態様として好ましい。
本発明は、ディスクのスピン付与送出装置において、前記スピン付与体は、支軸に回転自在に支持され、かつ、前記出口開口に近づくよう弾性的に付勢されたローラであることを特徴とすることが第2実施態様として好ましい。
本発明は、ディスクのスピン付与送出装置において、前記ガイド通路は、所定の間隔でベースプレートに固定されたディスクの周縁を案内するための一対のガイドレールと、前記ベースプレートに対し前記ガイド通路の長手方向に位置調整可能に固定され、前記ディスク面を案内するための面ガイドプレートと、を含むことを特徴とすることが第3実施態様として好ましい。
【手続補正４】
【補正対象書類名】明細書
【補正対象項目名】０００９
【補正方法】変更
【補正の内容】
【０００９】
請求項１の発明において、ディスクは送り出し装置によって一つずつガイド通路に送り出され、一列に並べられてガイド通路を進行する。
ガイド通路を進行する最先のディスクは出口開口に相対する。
同時に、ディスクは出口開口の反対側に位置する押出装置によって出口開口へ向けて押され、出口開口の縁部による制止力に対し押出装置による押出力が勝った時に押し出される。
このとき、押出装置はディスクの中央を押すので、ディスクは概ねガイド通路に対し直角方向へ払い出されるので、払出方向が安定する。
押し出されたディスクの偏倚位置がスピン付与体に衝突する。
スピン付与体は、弾性的に支持されているので、前記衝突によりその衝撃を緩和するようガイド通路から離れる方向に移動した後、弾発力による戻り動によって当該ディスクの偏倚位置を押動する。
換言すれば、ディスクの端部はスピン付与体によってスナップされるように押動されるので、ディスクは勢いよくスピンされる。
よって、ディスクのスピン状況及び押し出し方向がほぼ一定になる利点がある。
本発明の第1実施態様において、ディスクは送り出し装置によって一つずつ送り出され、ガイド通路に一列に整列される。
ガイド通路の出口開口が形成されている部分はディスクが水平方向に垂立状態で移動する。
垂立状態で整列された先端のディスクは出口開口に相対し、同時に、押出装置によって出口開口へ押される。
出口開口の周縁とディスクとの制止力に対し押出装置による押力が勝った場合、出口開口から勢いよく押し出される。
換言すれば、ディスクはその回転軸線が垂立状態で押し出されるから、落下した台上においてスピンする。
したがって、払い出されたディスクが平面上で勢いよくスピンされる趣向を備えたゲーム機等に利用できる利点がある。
本発明の第2実施態様において、ディスクの押し出し方向に対し逆方向へスピン付与体が移動する場合、スピン付与体がローラであるので、ディスクを擦ることなく相対移動する。
よって、ディスクの端部は、スピン付与体によってスナップされるように勢いよく押される。
これにより、ディスクとスピン付与体との間の摩擦力のバラツキによる影響がないので、ディスクは勢いよくスピンされ、かつ、押し出し方向がさらに安定する。
本発明の第3実施態様において、ガイド通路において、ディスクの外周はベースプレートに固定された一対のガイドレールによって案内される。
ディスクの面は、ベースプレート及びそれに固定された面ガイドプレートにより案内される。
よって、ディスクの直径が変更された場合、ガイドレールの間隔を調整することにより、ディスクが一列に案内されるよう調整することができる。
さらに、面ガイドプレートをベースプレートに対しガイド通路の長手方向に位置調整することにより、回転ディスクと出口開口との位置関係をディスクの押し出しに適するよう調整することができる。
よって、ディスクの直径が変更されてもディスクに対し最適のスピンを付与し、かつ、押し出し方向を大凡一定にすることができる利点がある。
【手続補正書】
【提出日】平成21年2月10日(2009.2.10)
【手続補正１】
【補正対象書類名】特許請求の範囲
【補正対象項目名】全文
【補正方法】変更
【補正の内容】
【特許請求の範囲】
【請求項１】
複数のフレームから構成される動画像データを編集するための時間の単位を設定する設定手段と、
複数の前記単位を含む前記動画像データを複数のクラスタからなる記録媒体に記録する記録手段と、
前記設定手段により設定された単位に基づき、前記動画像データにおける複数の前記単位それぞれの先頭のフレームを前記記録媒体におけるクラスタの先頭から記録するよう前記記録手段を制御する制御手段とを備える記録装置。
【請求項２】
前記制御手段は、前記単位の最後のフレームが記録されているクラスタにおいて動画像データが記録されていない空き領域に対しパディングデータを記録するよう前記記録手段を制御することを特徴とする請求項１記載の記録装置。
【請求項３】
前記動画像データに含まれる複数の単位それぞれについて次に再生すべき前記単位の先頭クラスタ番号を示すと共に、前記記録媒体上の複数のクラスタの記録状況を示す管理情報を生成する管理情報処理手段と、
前記記録媒体に記録された動画像データにおける一部の消去を指示する消去指示手段を備え、
前記管理情報処理手段は、前記消去指示手段の指示に応じて前記管理情報の内容を変更することを特徴とする請求項１または２記載の記録装置。
【請求項４】
前記管理情報処理手段は、前記消去指示された動画像データを含む前記単位の直前の前記単位について、前記直前の単位の次に再生すべき単位の先頭クラスタ番号を、前記消去指示された動画像データを含む単位の直後の前記単位の先頭クラスタ番号に変更することを特徴とする請求項３記載の記録装置。
【請求項５】
前記管理情報処理手段は更に、前記消去指示された動画像データを含む単位が記録されていた全てのセクタを空きセクタとするよう前記管理情報を変更することを特徴とする請求項３または４記載の記録装置。
【請求項６】
前記設定手段は任意に前記単位の時間を設定することを特徴とする請求項１から５の何れかに記載の記録装置。
【請求項７】
前記設定手段は複数の所定の期間のうちの一つを選択し、前記選択した期間を前記単位として設定することを特徴とする請求項１から５の何れかに記載の記録装置。
【請求項８】
前記設定手段により設定された単位の情報を、前記動画像データの記録中に表示する表示手段を備えたことを特徴とする請求項１から７の何れかに記載の記録装置。
【請求項９】
前記記録手段は更に、前記設定された単位を示す情報を前記記録媒体に記録することを特徴とする請求項１から８の何れかに記載の記録装置。
【請求項１０】
前記記録手段は、記録開始の指示から記録停止の指示までの間に記録した一連の前記動画像データを一つのファイルとして記録すると共に、前記単位の情報を前記ファイルのヘッダ情報に格納して記録することを特徴とする請求項９記載の記録装置。
【手続補正２】
【補正対象書類名】明細書
【補正対象項目名】０００７
【補正方法】変更
【補正の内容】
【０００７】
本発明は、複数のフレームから構成される動画像データを編集するための時間の単位を設定する設定手段と、複数の前記単位を含む前記動画像データを複数のクラスタからなる記録媒体に記録する記録手段と、前記設定手段により設定された単位に基づき、前記動画像データにおける複数の前記単位それぞれの先頭のフレームを前記記録媒体におけるクラスタの先頭から記録するよう前記記録手段を制御する制御手段とを備える。
【手続補正書】
【提出日】平成21年2月9日(2009.2.9)
【手続補正１】
【補正対象書類名】特許請求の範囲
【補正対象項目名】全文
【補正方法】変更
【補正の内容】
【特許請求の範囲】
【請求項１】
複数の映像データに関する付加情報を取得する付加情報取得手段と、
前記複数の映像データをその付加情報に従ってグループ化するための複数の分割単位の候補を表示装置の画面上に一覧表示する表示制御手段と、
前記一覧表示された複数の分割単位の候補の中から任意の分割単位を選択する指示手段と、
前記指示手段により選択された分割単位と前記付加情報取得手段により取得された付加情報とに基づいて前記複数の映像データを複数のグループに分割し、各グループを示す管理情報を生成するグループ構築手段
とを備えることを特徴とする映像処理装置。
【請求項２】
複数の映像データがそれぞれ作成された時間を示す作成時間情報を取得する作成時間取得手段と、
前記複数の映像データをその作成時間に従ってグループ化するための複数の時間間隔の候補を表示装置の画面上に一覧表示する表示制御手段と、
前記一覧表示された複数の時間間隔の候補の中から任意の時間間隔を選択する指示手段と、
前記指示手段により選択された時間間隔と前記作成時間取得手段により取得された作成時間情報とに基づいて前記複数の映像データを複数のグループに分割し、各グループを示す管理情報を生成するグループ構築手段
とを備えることを特徴とする映像処理装置。
【請求項３】
前記表示制御手段は、前記管理情報に応じて前記複数のグループの情報と前記グループに対して選択されている前記時間間隔とを前記表示装置に表示することを特徴とする請求項２に記載の映像処理装置。
【請求項４】
前記表示制御手段は、前記指示手段により、前記複数のグループの情報と共に表示されている前記時間間隔の変更が指示されると、前記複数の時間間隔の候補の一覧を前記表示装置に表示することを特徴とする請求項２または３に記載の映像処理装置。
【請求項５】
前記指示手段は、前記複数のグループのうちの一つのグループを更にグループ化するべく選択することが可能であり、前記表示制御手段は前記選択されたグループの映像データを更にグループ化するための時間間隔の候補の一覧を前記表示画面に表示することを特徴とする請求項２から４の何れかに記載の映像処理装置。
【請求項６】
前記表示制御手段は、前記選択されたグループを更にグループ化するための時間間隔の候補として、前記複数のグループに分割する際に選択された時間間隔よりも短い時間間隔を表示することを特徴とする請求項５に記載の映像処理装置。
【請求項７】
複数の映像データの作成時の位置に係る位置情報を取得する取得手段と、
前記複数の映像データを前記位置情報に従ってグループ化するための複数の地名の単位の候補を表示装置の画面上に一覧表示する表示制御手段と、
前記一覧表示された複数の地名の単位の候補の中から任意の単位を選択する指示手段と、
前記指示手段により選択された単位と前記取得手段により取得された位置情報とに基づいて前記複数の映像データを複数のグループに分割し、各グループを示す管理情報を生成するグループ構築手段
とを備えることを特徴とする映像処理装置。
【請求項８】
前記表示制御手段は、前記管理情報に応じて前記複数のグループの情報と前記グループに対して選択されている前記地名の単位とを前記表示装置に表示することを特徴とする請求項７に記載の映像処理装置。
【請求項９】
前記地名の単位は、国、都道府県、市町村、及び番地の少なくとも一つを含むことを特徴とする請求項７または８に記載の映像処理装置。
【手続補正２】
【補正対象書類名】明細書
【補正対象項目名】０００８
【補正方法】変更
【補正の内容】
【０００８】
本発明に係る映像処理装置は、複数の映像データに関する付加情報を取得する付加情報取得手段と、前記複数の映像データをその付加情報に従ってグループ化するための複数の分割単位の候補を表示装置の画面上に一覧表示する表示制御手段と、前記一覧表示された複数の分割単位の候補の中から任意の分割単位を選択する指示手段と、前記指示手段により選択された分割単位と前記付加情報取得手段により取得された付加情報とに基づいて前記複数の映像データを複数のグループに分割し、各グループを示す管理情報を生成するグループ構築手段とを備えることを特徴とする。
本発明に係る映像処理装置は、複数の映像データがそれぞれ作成された時間を示す作成時間情報を取得する作成時間取得手段と、前記複数の映像データをその作成時間に従ってグループ化するための複数の時間間隔の候補を表示装置の画面上に一覧表示する表示制御手段と、前記一覧表示された複数の時間間隔の候補の中から任意の時間間隔を選択する指示手段と、前記指示手段により選択された時間間隔と前記作成時間取得手段により取得された作成時間情報とに基づいて前記複数の映像データを複数のグループに分割し、各グループを示す管理情報を生成するグループ構築手段とを備えることを特徴とする。
【手続補正３】
【補正対象書類名】明細書
【補正対象項目名】０００９
【補正方法】変更
【補正の内容】
【０００９】
本発明に係る映像処理装置は、複数の映像データの作成時の位置に係る位置情報を取得する取得手段と、前記複数の映像データを前記位置情報に従ってグループ化するための複数の地名の単位の候補を表示装置の画面上に一覧表示する表示制御手段と、前記一覧表示された複数の地名の単位の候補の中から任意の単位を選択する指示手段と、前記指示手段により選択された単位と前記取得手段により取得された位置情報とに基づいて前記複数の映像データを複数のグループに分割し、各グループを示す管理情報を生成するグループ構築手段とを備えることを特徴とする。
【手続補正書】
【提出日】平成21年2月27日(2009.2.27)
【手続補正１】
【補正対象書類名】特許請求の範囲
【補正対象項目名】全文
【補正方法】変更
【補正の内容】
【特許請求の範囲】
【請求項１】
テーブル上に載置された基板面上に所定パターンの開口部を形成したマスクを当接させて、マスク面上からスキージによって、前記開口を介して基板面上にペーストを印刷するスクリーン印刷装置において、
前記マスク上面の開口からペーストを供給するスキージヘッドを密閉型スキージヘッドとし、前記スキージヘッド内に負圧を供給する負圧供給機構を設けたことを特徴とするスクリーン印刷装置。
【請求項２】
請求項１に記載のスクリーン印刷装置において、
前記スキージヘッド内の負圧力を計測する圧力計を設け、前記圧力計の計測結果に応じて、スキージヘッドの印圧を制御する、印圧調整機構を備えたことを特徴とするスクリーン印刷装置。
【請求項３】
請求項１に記載のスクリーン印刷装置において、
前記印圧の調整は前記スキージヘッドを上下移動させるスキージ昇降機構を構成するシリンダのバック圧調整で行うことを特徴とするスクリーン印刷装置。
【請求項４】
テーブル上に載置された基板面上に所定の開口部を形成したマスクを当接させて、マスク上面を、ペーストの供給された密閉型スキージヘッドを移動させて前記マスクの開口部に供給することで印刷を行うスクリーン印刷方法において、
前記密閉型スキージヘッド内にペーストを供給すると共に、ヘッド内部を負圧状態にし、かつ前記負圧力に応じて印圧が一定になるように調整し、前記マスクの開口部をスキージヘッドが通過した後に、前記開口部に大気圧が加わるようにしたことを特徴とするスクリーン印刷方法。
【手続補正書】
【提出日】平成21年8月6日(2009.8.6)
【手続補正１】
【補正対象書類名】特許請求の範囲
【補正対象項目名】全文
【補正方法】変更
【補正の内容】
【特許請求の範囲】
【請求項１】
振動板及び電極取り出し部が形成される第１の基板と、前記第１の基板と重ねられる第２の基板とを接合し、前記第１の基板と前記第２の基板とが重なった部分に複数の分割ラインを設け、前記分割ラインに沿って個々のヘッドに分割する液滴吐出ヘッドの製造方法であって、
接合前において、前記第１の基板の接合側の全面に絶縁膜を形成する工程と、前記電極取り出し部に対応する前記絶縁膜の部分をエッチングにより除去する工程とを有し、
接合後において、前記第１の基板に対し、前記分割ラインに沿ってレーザ光を照射することにより、前記分割ライン上の材料を変質させる工程と、
前記第１の基板に対し、変質した前記分割ラインに沿って前記電極取り出し部をパターニングする工程と、
前記電極取り出し部及び前記第１の基板をウェットエッチングする工程と、
前記電極取り出し部をドライエッチングにより開口させるとともに、該電極取り出し部の一部に前記絶縁膜を残存させる工程と、
前記第１の基板と前記第２の基板を、変質した前記分割ラインに沿って応力を加えることにより個々の前記ヘッドに分割する工程と、
を有することを特徴とする液滴吐出ヘッドの製造方法。
【請求項２】
振動板及び電極取り出し部が形成される第１の基板と、前記第１の基板と重ねられる第２の基板とを接合し、前記第１の基板と前記第２の基板とが重なった部分に複数の分割ラインを設け、前記分割ラインに沿って個々のヘッドに分割する液滴吐出ヘッドの製造方法であって、
接合前において、前記第１の基板の接合側の面の前記分割ラインで囲まれる領域内に凹部を形成する工程と、前記凹部を含む前記第１の基板の接合側の全面に絶縁膜を形成する工程と、前記電極取り出し部に対応する前記絶縁膜の部分をエッチングにより除去する工程とを有し、
接合後において、前記第１の基板に対し、前記分割ラインに沿ってレーザ光を照射することにより、前記分割ライン上の材料を変質させる工程と、
前記第１の基板に対し、変質した前記分割ラインに沿って前記電極取り出し部をパターニングする工程と、
前記電極取り出し部及び前記第１の基板をウェットエッチングする工程と、
前記電極取り出し部をドライエッチングにより開口させるとともに、該電極取り出し部の一部に前記絶縁膜を残存させる工程と、
前記第１の基板と前記第２の基板を、変質した前記分割ラインに沿って応力を加えることにより個々の前記ヘッドに分割する工程と、
を有することを特徴とする液滴吐出ヘッドの製造方法。
【請求項３】
前記分割ライン上の材料を変質させる工程では、ＹＡＧレーザ、ＹＶＯ4レーザまたはＹＬＦレーザの基本波長光を照射することを特徴とする請求項１または２に記載の液滴吐出ヘッドの製造方法。
【請求項４】
前記分割ライン上の材料を変質させる工程では、前記第１の基板の板厚全体にわたって材料変質部を形成することを特徴とする請求項１乃至３のいずれかに記載の液滴吐出ヘッドの製造方法。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
本発明に係る液滴吐出ヘッドの第１の製造方法は、振動板及び電極取り出し部が形成される第１の基板と、前記第１の基板と重ねられる第２の基板とを接合し、前記第１の基板と前記第２の基板とが重なった部分に複数の分割ラインを設け、前記分割ラインに沿って個々のヘッドに分割する液滴吐出ヘッドの製造方法であって、
接合前において、前記第１の基板の接合側の全面に絶縁膜を形成する工程と、前記電極取り出し部に対応する前記絶縁膜の部分をエッチングにより除去する工程とを有し、
接合後において、前記第１の基板に対し、前記分割ラインに沿ってレーザ光を照射することにより、前記分割ライン上の材料を変質させる工程と、
前記第１の基板に対し、変質した前記分割ラインに沿って前記電極取り出し部をパターニングする工程と、
前記電極取り出し部及び前記第１の基板をウェットエッチングする工程と、
前記電極取り出し部をドライエッチングにより開口させるとともに、該電極取り出し部の一部に前記絶縁膜を残存させる工程と、
前記第１の基板と前記第２の基板を、変質した前記分割ラインに沿って応力を加えることにより個々の前記ヘッドに分割する工程と、を有することを特徴とする。
【手続補正５】
【補正対象書類名】明細書
【補正対象項目名】００１１
【補正方法】変更
【補正の内容】
【００１１】
この第１の製造方法によれば、各々の分割ライン上の材料変質部に沿って個々のヘッドに簡単に分割（ブレイク）することができ、かつ、その分割部における電極取り出し部の一部、すなわちその後端部には絶縁膜が残存しているため、ＦＰＣ接続が容易になるとともに、短絡を生じることがない。
【手続補正６】
【補正対象書類名】明細書
【補正対象項目名】００１２
【補正方法】変更
【補正の内容】
【００１２】
また、本発明に係る液滴吐出ヘッドの第２の製造方法は、振動板及び電極取り出し部が形成される第１の基板と、前記第１の基板と重ねられる第２の基板とを接合し、前記第１の基板と前記第２の基板とが重なった部分に複数の分割ラインを設け、前記分割ラインに沿って個々のヘッドに分割する液滴吐出ヘッドの製造方法であって、
接合前において、前記第１の基板の接合側の面の前記分割ラインで囲まれる領域内に凹部を形成する工程と、前記凹部を含む前記第１の基板の接合側の全面に絶縁膜を形成する工程と、前記電極取り出し部に対応する前記絶縁膜の部分をエッチングにより除去する工程とを有し、
接合後において、前記第１の基板に対し、前記分割ラインに沿ってレーザ光を照射することにより、前記分割ライン上の材料を変質させる工程と、前記第１の基板に対し、変質した前記分割ラインに沿って前記電極取り出し部をパターニングする工程と、前記電極取り出し部及び前記第１の基板をウェットエッチングする工程と、前記電極取り出し部をドライエッチングにより開口させるとともに、該電極取り出し部の一部に前記絶縁膜を残存させる工程と、前記第１の基板と前記第２の基板を、変質した前記分割ラインに沿って応力を加えることにより個々の前記ヘッドに分割する工程と、を有することを特徴とする。
【手続補正７】
【補正対象書類名】明細書
【補正対象項目名】００１３
【補正方法】変更
【補正の内容】
【００１３】
この第２の製造方法によれば、ヘッド分割後の電極取り出し部の後端部はほぼ平坦面となるので、ＦＰＣ接続が容易になり、また前記第１の製造方法の場合と同様に、電極取り出し部の後端部には第２の基板上に絶縁膜が残存することになるため、短絡をより効果的に防止することができる。
【手続補正８】
【補正対象書類名】明細書
【補正対象項目名】００１６
【補正方法】削除
【補正の内容】
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
電極を構成する細長形状で可撓性を有した振動板と、前記振動板にギャップを隔てて対向配置された細長形状の個別電極とを備え、電圧印加のＯＮ／ＯＦＦにより前記振動板を前記個別電極に接離させる静電アクチュエータであって、
前記個別電極の長手方向に沿う中央部分が、前記中央部分の両側部分より前記振動板側に突出した電極中央凸部として形成され、
前記個別電極の電極中央凸部と該電極中央凸部の長手方向に沿う両側端部との間に、前記電極中央凸部の突出高さより低い突出高さの電極側凸部が、前記電極中央凸部に沿って形成されており、
前記振動板と前記個別電極との電極間に電圧を印加時、前記振動板の長手方向に沿う中央部分が前記電極中央凸部と接触するとともに、前記振動板の長手方向に沿う両側部分が前記電極側凸部に接触する、ことを特徴とする静電アクチュエータ。
【請求項２】
前記個別電極はガラス基板上に形成されており、前記個別電極の電極中央凸部または電極側凸部は、前記ガラス基板に形成された凸部面に電極材料が成膜されて形成されている、ことを特徴とする請求項１記載の静電アクチュエータ。
【請求項３】
前記個別電極の電極中央凸部または電極側凸部は、電極材料が前記各凸部の周囲より厚く成膜されて形成されている、ことを特徴とする請求項１または２記載の静電アクチュエータ。
【請求項４】
請求項１〜３のいずれかに記載の静電アクチュエータを備え、前記振動板を、吐出液を引き込んで吐出させる圧力室の一部としていることを特徴とする液滴吐出ヘッド。
【請求項５】
請求項４記載の液滴吐出ヘッドが搭載されていることを特徴とする液滴吐出装置。
【手続補正２】
【補正対象書類名】明細書
【補正対象項目名】０００６
【補正方法】変更
【補正の内容】
【０００６】
本発明の静電アクチュエータは、電極を構成する細長形状で可撓性を有した振動板と、前記振動板にギャップを隔てて対向配置された細長形状の個別電極とを備え、電圧印加のＯＮ／ＯＦＦにより前記振動板を前記個別電極に接離させる静電アクチュエータであって、
前記個別電極の長手方向に沿う中央部分が、前記中央部分の両側部分より前記振動板側に突出した電極中央凸部として形成され、
前記個別電極の電極中央凸部と該電極中央凸部の長手方向に沿う両側端部との間に、前記電極中央凸部の突出高さより低い突出高さの電極側凸部が、前記電極中央凸部に沿って形成されており、
前記振動板と前記個別電極との電極間に電圧を印加時、前記振動板の長手方向に沿う中央部分が前記電極中央凸部と接触するとともに、前記振動板の長手方向に沿う両側部分が前記電極側凸部に接触する、ことを特徴とする。
【手続補正３】
【補正対象書類名】明細書
【補正対象項目名】０００７
【補正方法】変更
【補正の内容】
【０００７】
上記静電アクチュエータによれば、振動板の動作時、振動板は電極中央凸部と電極側凸部とに接触するようになるため、振動板と個別電極の接触面積が減少して振動板の個別電極に対する貼り付きが防止され、長期に亘り高い安定した信頼性の駆動状態を確保できる。
また、振動板と個別電極の接触面積や位置を適切に制御できるため、振動板の挙動が制御でき、複数配列したすべてのアクチュエータで同じ駆動が可能となる。
【手続補正４】
【補正対象書類名】明細書
【補正対象項目名】０００８
【補正方法】変更
【補正の内容】
【０００８】
さらに、振動板の長手方向に沿う中央部分の両側部分を確実に個別電極側に引きつけることができ、吐出液の排除体積が保証される。
【手続補正５】
【補正対象書類名】図面
【補正対象項目名】図５
【補正方法】変更
【補正の内容】
【図５】
2008055666.tif 000001
【手続補正６】
【補正対象書類名】図面
【補正対象項目名】図６
【補正方法】変更
【補正の内容】
【図６】
2008055666.tif 000002
【手続補正７】
【補正対象書類名】図面
【補正対象項目名】図９
【補正方法】変更
【補正の内容】
【図９】
2008055666.tif 000003
【手続補正書】
【提出日】平成21年4月2日(2009.4.2)
【手続補正１】
【補正対象書類名】明細書
【補正対象項目名】００８２
【補正方法】変更
【補正の内容】
【００８２】
この場合は、上記クリア許容信号に相当するのは、セキュリティチェックに続いて立ち上がる、ＲＡＭクリアスイッチ６７６が押下されているか否かの判断プログラムにより生成されるデータである。上記のごとくセキュリティチェック時間はごく短時間であり、ＲＡＭクリアスイッチ６７６を押下した状態で、電源スイッチ６７１をクリア許容スイッチとしてオフからオンに切り替えることで、ＲＡＭクリア信号発生回路６７７がＲＡＭクリア信号を出力する上記具体例と同様にＲＡＭクリアを行い得る。セキュリティチェックは少なくとも電源投入直後には実行されるので、制御プログラムの構成を大きく変更することなく実施可能である。